(57)【要約】  本開示の態様は、新無線（ＮＲ）デバイスにおける送信における電力遷移を扱うための技法を提供する。例示的な方法は、送信の第１の部分中に第１の送信電力を使用することから送信の第２の部分中に第２の送信電力に変更することと、第１の送信電力から第２の送信電力に変更することに関連する潜在的位相コヒーレンス損失を緩和するためのアクションをとることとを含む。
2020534741.tif 000002
【特許請求の範囲】
【請求項１】
ワイヤレス通信のための方法であって、
送信の第１の部分中に第１の送信電力を使用し、前記送信の第２の部分中に第２の送信電力を使用することを決定することと、
前記第１の送信電力から前記第２の送信電力に変更することに関連する潜在的位相コヒーレンス損失を緩和することと、
前記第１の送信電力を使用して前記送信の前記第１の部分を送信し、前記第２の送信電力を使用して前記送信の前記第２の部分を送信することと
を備える、方法。
【請求項２】
前記潜在的位相コヒーレンス損失を緩和することが、前記送信において直交周波数領域多重化（ＯＦＤＭ）シンボルをブランキングすることを備える、請求項１に記載の方法。
【請求項３】
前記潜在的位相コヒーレンス損失を緩和することが、前記送信のためにデジタル領域信号をアナログ領域信号に変換するより前に、前記デジタル領域信号中の１つまたは複数のリソース要素（ＲＥ）をブランキングすることを備える、請求項１に記載の方法。
【請求項４】
前記潜在的位相コヒーレンス損失を緩和することが、
１つまたは複数の他のＲＥの電力レベルをブーストすること
をさらに備える、請求項３に記載の方法。
【請求項５】
前記１つまたは複数の他のＲＥの前記電力レベルをブーストすることが、前記デジタル領域信号を前記アナログ領域信号に変換するより前に、前記デジタル領域信号中の前記１つまたは複数のＲＥの電力レベルをブーストすることを備える、請求項４に記載の方法。
【請求項６】
前記電力レベルのインジケーションを送ること
をさらに備える、請求項４に記載の方法。
【請求項７】
前記インジケーションがアップリンク（ＵＬ）制御信号を介して送られる、請求項６に記載の方法。
【請求項８】
前記ＵＬ制御信号をスケジュールするダウンリンク制御チャネルを受信することをさらに備える、請求項７に記載の方法。
【請求項９】
前記潜在的位相コヒーレンス損失を緩和することが、
前記送信においてデータを伝達するための低ピーク対平均電力比（ＰＡＰＲ）波形のＰＡＰＲよりも小さいかまたはそれに等しいＰＡＰＲをもつ、前記送信の復調基準信号（ＤＭＲＳ）のためのシーケンスを選択すること
を備える、請求項１に記載の方法。
【請求項１０】
前記低ＰＡＰＲ波形が、離散フーリエ変換シングルキャリア直交周波数分割多重化（ＤＦＴ−ｓ−ＯＦＤＭ）波形とともにπ／２  ２位相シフトキーイング（π／２−ＢＰＳＫ）変調を使用する、請求項９に記載の方法。
【請求項１１】
前記低ＰＡＰＲ波形は、前記低ＰＡＰＲ波形が、周波数トーンのインターリーブされたセットを占有するか、またはそれにわたって直交カバーコードが適用される複数のＯＦＤＭシンボルを占有するとき、低ＰＡＰＲ特性が維持されることを可能にするための修正を使用する、請求項９に記載の方法。
【請求項１２】
無線リソース制御（ＲＲＣ）シグナリングと、
前記データを伝達するための変調およびコーディング方式（ＭＣＳ）と波形とのうちの少なくとも１つに基づく暗黙的決定と
の組合せに基づいて前記ＤＭＲＳのパターンおよびオーバーヘッドを導出すること
をさらに備える、請求項９に記載の方法。
【請求項１３】
前記送信の前記第１の部分が復調基準信号（ＤＭＲＳ）を備え、前記潜在的位相コヒーレンス損失を緩和することが、
前記第２の部分のための別の電力増幅器（ＰＡ）バックオフとは異なる前記第１の部分のためのＰＡバックオフを適用すること
を備える、請求項１に記載の方法。
【請求項１４】
前記送信の前記第１の部分が復調基準信号（ＤＭＲＳ）を備え、前記潜在的位相コヒーレンス損失を緩和することが、
ＤＭＲＳ電力と前記送信の前記第２の部分の電力との間の固定電力比を適用すること
を備える、請求項１に記載の方法。
【請求項１５】
前記ＤＭＲＳ電力と前記第２の部分の前記電力との間の前記固定電力比を適用することが、電力増幅器（ＰＡ）出力に残っている利用可能な電力ヘッドルームにかかわらず、前記ＤＭＲＳ電力と前記第２の部分の前記電力との間の前記固定電力比を適用することを備える、請求項１４に記載の方法。
【請求項１６】
ワイヤレスデバイスのためのワイヤレス通信のための方法であって、
第１の送信を送信するようにユーザ機器（ＵＥ）をスケジュールする第１の許可を送信することと、ここにおいて、前記ＵＥが、前記第１の送信の第１の部分中に第１の送信電力を使用することから前記第１の送信の第２の部分中に第２の送信電力に変更する、
前記第１の送信電力または前記第２の送信電力のうちの少なくとも１つのインジケーションを備える第２の送信を送信するように前記ＵＥをスケジュールする第２の許可を送信することと、
前記インジケーションに基づいて、前記ＵＥから前記第１の送信を受信することと
を備える、方法。
【請求項１７】
前記インジケーションに基づいて、前記第１の送信電力を決定することと、
前記第１の送信と前記第１の送信電力とに基づいて、前記ＵＥに対するチャネル品質を推定することと
をさらに備える、請求項１６に記載の方法。
【請求項１８】
前記第１の送信電力または前記第２の送信電力のうちの少なくとも１つの前記インジケーションを前記第２の送信中に含めるように前記ＵＥに指示すること
をさらに備える、請求項１６に記載の方法。
【請求項１９】
ワイヤレス通信のための装置であって、
送信の第１の部分中に第１の送信電力を使用し、前記送信の第２の部分中に第２の送信電力を使用することを決定することと、
前記第１の送信電力から前記第２の送信電力に変更することに関連する潜在的位相コヒーレンス損失を緩和することと、
前記第１の送信電力を使用して前記送信の前記第１の部分を送信し、前記第２の送信電力を使用して前記送信の前記第２の部分を送信することと
を行うように構成されたプロセッサと、
前記プロセッサに結合されたメモリと
を備える、装置。
【請求項２０】
前記プロセッサが、前記送信において直交周波数領域多重化（ＯＦＤＭ）シンボルをブランキングすることによって前記潜在的位相コヒーレンス損失を緩和するように構成された、請求項１９に記載の装置。
【請求項２１】
前記プロセッサが、前記送信のためにデジタル領域信号をアナログ領域信号に変換するより前に、前記デジタル領域信号中の１つまたは複数のリソース要素（ＲＥ）をブランキングすることによって、前記潜在的位相コヒーレンス損失を緩和するように構成された、請求項１９に記載の装置。
【請求項２２】
前記プロセッサが、１つまたは複数の他のＲＥの電力レベルをブーストすることによって前記潜在的位相コヒーレンス損失を緩和するように構成された、請求項２１に記載の装置。
【請求項２３】
前記プロセッサが、前記デジタル領域信号を前記アナログ領域信号に変換するより前に、前記デジタル領域信号中の前記１つまたは複数のＲＥの前記電力レベルをブーストすることによって、前記１つまたは複数の他のＲＥの前記電力レベルをブーストするように構成された、請求項２２に記載の装置。
【請求項２４】
前記プロセッサが、
前記電力レベルのインジケーションを送る
ように構成された、請求項２２に記載の装置。
【請求項２５】
前記プロセッサが、アップリンク（ＵＬ）制御信号を介して前記インジケーションを送るように構成された、請求項２４に記載の装置。
【請求項２６】
前記プロセッサが、前記ＵＬ制御信号をスケジュールするダウンリンク制御チャネルを受信するように構成された、請求項２５に記載の装置。
【請求項２７】
前記プロセッサが、
前記送信においてデータを伝達するための低ピーク対平均電力比（ＰＡＰＲ）波形のＰＡＰＲよりも小さいかまたはそれに等しいＰＡＰＲをもつ、前記送信の復調基準信号（ＤＭＲＳ）のためのシーケンスを選択すること
によって前記潜在的位相コヒーレンス損失を緩和するように構成された、請求項１９に記載の装置。
【請求項２８】
前記低ＰＡＰＲ波形が、離散フーリエ変換シングルキャリア直交周波数分割多重化（ＤＦＴ−ｓ−ＯＦＤＭ）波形とともにπ／２  ２位相シフトキーイング（π／２−ＢＰＳＫ）変調を使用し、
前記プロセッサが、前記低ＰＡＰＲ波形を使用して前記送信の前記第１の部分および前記第２の部分のうちの少なくとも１つを送信するように構成された、
請求項２７に記載の装置。
【請求項２９】
前記低ＰＡＰＲ波形は、前記低ＰＡＰＲ波形が、周波数トーンのインターリーブされたセットを占有するか、またはそれにわたって直交カバーコードが適用される複数のＯＦＤＭシンボルを占有するとき、低ＰＡＰＲ特性が維持されることを可能にするための修正を使用し、
前記プロセッサが、前記低ＰＡＰＲ波形を使用して前記送信の前記第１の部分および前記第２の部分のうちの少なくとも１つを送信するように構成された、
請求項２７に記載の装置。
【請求項３０】
前記プロセッサが、
前記データを伝達するための変調およびコーディング方式（ＭＣＳ）と波形とのうちの少なくとも１つに基づく前記ＤＭＲＳのパターンおよび潜在的オーバーヘッドの暗黙的導出を決定することと、
無線リソース制御（ＲＲＣ）シグナリングと、
前記暗黙的導出と
の組合せに基づいて前記ＤＭＲＳの前記パターンおよび前記オーバーヘッドを導出することと
を行うようにさらに構成された、請求項２７に記載の装置。
【請求項３１】
前記送信の前記第１の部分が復調基準信号（ＤＭＲＳ）を備え、前記プロセッサが、
前記第２の部分のための別の電力増幅器（ＰＡ）バックオフとは異なる前記第１の部分のためのＰＡバックオフを適用すること
によって前記潜在的位相コヒーレンス損失を緩和するように構成された、請求項１９に記載の装置。
【請求項３２】
前記送信の前記第１の部分が復調基準信号（ＤＭＲＳ）を備え、前記プロセッサが、
ＤＭＲＳ電力と前記送信の前記第２の部分の電力との間の固定電力比を適用すること
によって前記潜在的位相コヒーレンス損失を緩和するように構成された、請求項１９に記載の装置。
【請求項３３】
前記プロセッサが、電力増幅器（ＰＡ）出力に残っている利用可能な電力ヘッドルームにかかわらず、前記ＤＭＲＳ電力と前記第２の部分の前記電力との間の前記固定電力比を適用することによって、前記ＤＭＲＳ電力と前記第２の部分の前記電力との間の前記固定電力比を適用するように構成された、請求項３２に記載の装置。
【請求項３４】
ワイヤレス通信のための装置であって、
第１の送信を送信するようにユーザ機器（ＵＥ）をスケジュールする第１の許可を送信することと、ここにおいて、前記ＵＥが、前記第１の送信の第１の部分中に第１の送信電力を使用することから前記第１の送信の第２の部分中に第２の送信電力に変更する、
前記第１の送信電力または前記第２の送信電力のうちの少なくとも１つのインジケーションを備える第２の送信を送信するように前記ＵＥをスケジュールする第２の許可を送信することと、
前記インジケーションに基づいて、前記ＵＥから前記第１の送信を受信することと
を行うように構成されたプロセッサと、
前記プロセッサに結合されたメモリと
を備える、装置。
【請求項３５】
前記プロセッサが、
前記インジケーションに基づいて、前記第１の送信電力を決定することと、
前記第１の送信と前記第１の送信電力とに基づいて、前記ＵＥに対するチャネル品質を推定することと
を行うようにさらに構成された、請求項３４に記載の装置。
【請求項３６】
前記プロセッサが、
前記第１の送信電力または前記第２の送信電力のうちの少なくとも１つの前記インジケーションを前記第２の送信中に含めるように前記ＵＥに指示する
ようにさらに構成された、請求項３４に記載の装置。
【発明の詳細な説明】
【技術分野】
【０００１】
関連出願の相互参照
[0001]本出願は、本出願の譲受人に譲渡され、その全体が参照により本明細書に明確に組み込まれる、２０１７年９月１８日に出願されたギリシャ出願第２０１７０１００４１９号の利益を主張する、２０１８年９月１４日に出願された米国出願第１６／１３１，２７６号の優先権を主張する。
序論
【０００２】
[0002]本開示の態様は、ワイヤレス通信に関し、より詳細には、送信機の電力レベルを変更することによって引き起こされる位相コヒーレンス損失（phase coherence loss）を緩和することなど、ワイヤレス通信デバイスが新無線（ＮＲ：new radio）通信システムにおいて送信することによる電力遷移を扱うことに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]ワイヤレス通信ネットワークは、いくつかのユーザ機器（ＵＥ）のための通信をサポートすることができるいくつかのノードＢを含み得る。ＵＥは、ダウンリンクおよびアップリンクを介してノードＢと通信し得る。ダウンリンク（または順方向リンク）はノードＢからＵＥへの通信リンクを指し、アップリンク（または逆方向リンク）はＵＥからノードＢへの通信リンクを指す。
【０００５】
[0005]ＮＲ（たとえば、第５世代技術フォーラム（５ＧＴＦ：5th Generation Technology Forum））ワイヤレス通信システムにおける送信機が送信の最中に電力レベルを変更することが望ましいことがある。送信の最中に電力レベルを変更することは、（たとえば、送信された波形の）位相コヒーレンスの損失を引き起こし得る。たとえば、位相コヒーレンスは、電力変更がデジタル的に実装されないが、代わりに、（１つまたは複数の）アナログ利得段の変更を介して実装される場合、失われ得る。モバイルデバイス（たとえば、ＵＥ）は、基地局（たとえば、次世代ノードＢ（ｇＮＢ））が有しない実装制約を有し得るので、位相コヒーレンスの損失は、ダウンリンク（ＤＬ）送信においてよりもアップリンク（ＵＬ）送信において厳しいことがある。たとえば、モバイルデバイスが生成することができるデジタル利得の量は、基地局が生成することができるデジタル利得の量よりも少ないことがある。
【発明の概要】
【０００６】
[0006]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００７】
[0007]ワイヤレス通信デバイスが新無線（ＮＲ、たとえば、第５世代（５Ｇ））通信システムにおいて送信することによる位相コヒーレンス損失を緩和するための技法が、本明細書で説明される。
【０００８】
[0008]一態様では、ワイヤレス通信のための方法が提供される。本方法は、たとえば、ワイヤレスデバイスによって実行され得る。本方法は、概して、送信の第１の部分中に第１の送信電力を使用し、送信の第２の部分中に第２の送信電力を使用することを決定することと、第１の送信電力から第２の送信電力に変更することに関連する潜在的位相コヒーレンス損失を緩和することと、第１の送信電力を使用して送信の第１の部分を送信し、第２の送信電力を使用して送信の第２の部分を送信することとを含む。
【０００９】
[0009]一態様では、ワイヤレス通信のための方法が提供される。本方法は、たとえば、基地局（ＢＳ）によって実行され得る。本方法は、概して、第１の送信を送信するようにユーザ機器（ＵＥ）をスケジュールする第１の許可を送信することと、ここにおいて、ＵＥが、第１の送信の第１の部分中に第１の送信電力を使用することから第１の送信の第２の部分中に第２の送信電力に変更する、第１の送信電力または第２の送信電力のうちの少なくとも１つのインジケーションを備える第２の送信を送信するようにＵＥをスケジュールする第２の許可を送信することと、インジケーションに基づいて、ＵＥから第１の送信を受信することとを含む。
【００１０】
[0010]一態様では、ワイヤレス通信のための装置が提供される。本装置は、概して、送信の第１の部分中に第１の送信電力を使用し、送信の第２の部分中に第２の送信電力を使用することを決定することと、第１の送信電力から第２の送信電力に変更することに関連する潜在的位相コヒーレンス損失を緩和することと、第１の送信電力を使用して送信の第１の部分を送信し、第２の送信電力を使用して送信の第２の部分を送信することとを行うように構成されたプロセッサと、プロセッサに結合されたメモリとを含む。
【００１１】
[0011]一態様では、ワイヤレス通信のための装置が提供される。本装置は、概して、第１の送信を送信するようにユーザ機器（ＵＥ）をスケジュールする第１の許可を送信することと、ここにおいて、ＵＥが、第１の送信の第１の部分中に第１の送信電力を使用することから第１の送信の第２の部分中に第２の送信電力に変更する、第１の送信電力または第２の送信電力のうちの少なくとも１つのインジケーションを備える第２の送信を送信するようにＵＥをスケジュールする第２の許可を送信することと、インジケーションに基づいて、ＵＥから第１の送信を受信することとを行うように構成されたプロセッサと、プロセッサに結合されたメモリとを含む。
【００１２】
[0012]一態様では、ワイヤレス通信のための装置が提供される。本方法は、概して、送信の第１の部分中に第１の送信電力を使用し、送信の第２の部分中に第２の送信電力を使用することを決定するための手段と、第１の送信電力から第２の送信電力に変更することに関連する潜在的位相コヒーレンス損失を緩和するための手段と、第１の送信電力を使用して送信の第１の部分を送信し、第２の送信電力を使用して送信の第２の部分を送信するための手段とを含む。
【００１３】
[0013]一態様では、ワイヤレス通信のための装置が提供される。本装置は、概して、第１の送信を送信するようにユーザ機器（ＵＥ）をスケジュールする第１の許可を送信するための手段と、ここにおいて、ＵＥが、第１の送信の第１の部分中に第１の送信電力を使用することから第１の送信の第２の部分中に第２の送信電力に変更する、第１の送信電力または第２の送信電力のうちの少なくとも１つのインジケーションを備える第２の送信を送信するようにＵＥをスケジュールする第２の許可を送信するための手段と、インジケーションに基づいて、ＵＥから第１の送信を受信するための手段とを含む。
【００１４】
[0014]一態様では、ワイヤレス通信のためのコンピュータ可読媒体が提供される。コンピュータ可読媒体は、プロセッサによって実行されたとき、プロセッサに、送信の第１の部分中に第１の送信電力を使用し、送信の第２の部分中に第２の送信電力を使用することを決定することと、第１の送信電力から第２の送信電力に変更することに関連する潜在的位相コヒーレンス損失を緩和することと、第１の送信電力を使用して送信の第１の部分を送信し、第２の送信電力を使用して送信の第２の部分を送信することとを概して含む動作を実行させる命令を含む。
【００１５】
[0015]一態様では、ワイヤレス通信のためのコンピュータ可読媒体が提供される。コンピュータ可読媒体は、プロセッサによって実行されたとき、プロセッサに、第１の送信を送信するようにユーザ機器（ＵＥ）をスケジュールする第１の許可を送信することと、ここにおいて、ＵＥが、第１の送信の第１の部分中に第１の送信電力を使用することから第１の送信の第２の部分中に第２の送信電力に変更する、第１の送信電力または第２の送信電力のうちの少なくとも１つのインジケーションを備える第２の送信を送信するようにＵＥをスケジュールする第２の許可を送信することと、インジケーションに基づいて、ＵＥから第１の送信を受信することとを概して含む動作を実行させる命令を含む。
【００１６】
[0016]上記のおよび関係する目的を達成するために、１つまたは複数の態様は、以下で十分に説明され、特に特許請求の範囲で指摘される特徴を備える。以下の説明および図面は、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１７】
[0017]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１８】
【図１】[0018]本開示の態様による、例示的な電気通信システムを概念的に示すブロック図。
【図２】[0019]本開示の態様による、電気通信システムにおける例示的なダウンリンクフレーム構造を概念的に示すブロック図。
【図３】[0020]本開示の態様による、電気通信システムにおける例示的なアップリンクフレーム構造を示す図。
【図４】[0021]本開示の態様による、例示的なノードＢおよびユーザ機器（ＵＥ）の設計を概念的に示すブロック図。
【図５】[0022]本開示のいくつかの態様による、例示的なトランシーバフロントエンドのブロック図。
【図６】[0023]本開示の態様による、ユーザプレーンおよび制御プレーンのための例示的な無線プロトコルアーキテクチャを示す図。
【図７】[0024]本開示の態様による、例示的なサブフレームリソース要素マッピングを示す図。
【図８】[0025]本開示のいくつかの態様による、ＤＬ中心サブフレームの一例を示す図。
【図９】[0026]本開示のいくつかの態様による、ＵＬ中心サブフレームの一例を示す図。
【図１０Ａ】[0027]本開示の態様による、例示的な送信タイムラインを示す図。
【図１０Ｂ】本開示の態様による、例示的な送信タイムラインを示す図。
【図１０Ｃ】本開示の態様による、例示的な送信タイムラインを示す図。
【図１１】[0028]本開示の態様による、アップリンク送信の一例を示す図。
【図１２】[0029]本開示の態様による、ワイヤレスデバイスによって実行され得る例示的な動作を示す図。
【図１３】[0030]本開示の態様による、ＢＳによって実行され得る例示的な動作を示す図。
【００１９】
[0031]理解を容易にするために、可能な場合、各図に共通である同じ要素を指定するために同じ参照番号が使用されている。一態様において開示される要素が、特定の具陳なしに他の態様に対して有益に利用され得ることが企図される。
【発明を実施するための形態】
【００２０】
[0032]本開示の態様は、新無線（ＮＲ）ワイヤレス通信システムにおける電力遷移を扱うための装置、方法、処理システム、およびコンピュータ可読媒体を提供する。本明細書で説明される本開示の態様によれば、デバイスは、送信の異なる部分のための異なる電力レベル（たとえば、直交周波数領域多重化（ＯＦＤＭ：orthogonal frequency domain multiplexing）シンボルに組み込まれた基準信号およびデータのための異なる電力レベル）をもつ送信を送信し得、デバイスは、送信の電力レベルを変更することから生じ得る位相コヒーレンス損失を緩和するための１つまたは複数のアクションをとり得る。位相コヒーレンス損失は、受信機に、送信を受信および復号することの困難を経験させ得、したがって、潜在的位相コヒーレンスを緩和することは、データスループットレートを改善し、および／または通信のエラーレートを低減し得る。
【００２１】
[0033]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載された任意の数の態様を使用して装置が実装され得、または方法が実施され得る。さらに、本開示の範囲は、本明細書に記載された本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００２２】
[0034]「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。
【００２３】
[0035]本明細書では特定の態様が説明されるが、これらの態様の多くの変形および置換は本開示の範囲内に入る。好適な態様のいくつかの利益および利点が言及されるが、本開示の範囲は特定の利益、使用、または目的に限定されるものではない。むしろ、本開示の態様は、異なるワイヤレス技術、システム構成、ネットワーク、および伝送プロトコルに広く適用可能であるものとし、それらのうちのいくつかが、例として、図において、および好適な態様の以下の説明において示される。発明を実施するための形態および図面は、本開示を限定するものではなく説明するものにすぎず、本開示の範囲は添付の特許請求の範囲およびそれの均等物によって定義されている。
【００２４】
[0036]本明細書で説明される技法は、ＬＴＥ、ＣＤＭＡ、ＴＤＭＡ、ＦＤＭＡ、ＯＦＤＭＡ、ＳＣ−ＦＤＭＡ、および他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、ＮＲ（たとえば５Ｇ  ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。ＮＲは、５Ｇ技術フォーラム（５ＧＴＦ）とともに開発中の新生のワイヤレス通信技術である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、上述のワイヤレスネットワークおよび無線技術、ならびに他のワイヤレスネットワークおよび無線技術のために使用され得る。
【００２５】
[0037]明快のために、本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得る。
【００２６】
[0038]新無線（ＮＲ）は、（たとえば、直交周波数分割多元接続（ＯＦＤＭＡ）ベースエアインターフェース以外の）新しいエアインターフェース、または（たとえば、インターネットプロトコル（ＩＰ）以外の）固定トランスポートレイヤに従って動作するように構成された無線を指し得る。ＮＲは、広帯域幅（たとえば８０ＭＨｚ以上）通信をターゲットにする拡張モバイルブロードバンド（ｅＭＢＢ）技法と、高キャリア周波数（たとえば２７ＧＨｚ以上）通信をターゲットにするミリメートル波（ｍｍＷ）技法と、非後方互換性マシンタイプ通信（ＭＴＣ）をターゲットにする大規模マシンタイプ通信（ｍＭＴＣ）技法と、超高信頼低レイテンシ通信（ＵＲＬＬＣ）をターゲットにするミッションクリティカルな技法とを含み得る。これらの一般的なトピックについて、低密度パリティチェック（ＬＤＰＣ）コーディング、およびポーラコーディングを含む、コーディングなど、異なる技法が考慮される。ＮＲセルは、新しいエアインターフェースまたは固定トランスポートレイヤに従って動作するセルを指し得る。ＮＲノードＢ（たとえば、５ＧノードＢ）は、１つまたは複数の送信受信ポイント（ＴＲＰ）に対応し得る。
【００２７】
[0039]ＮＲセルは、アクセスセル（ＡＣｅｌｌ）またはデータオンリーセル（ＤＣｅｌｌ）として構成され得る。たとえば、無線アクセスネットワーク（たとえば、中央ユニットまたは分散型ユニット）は、セルを構成することができる。ＤＣｅｌｌは、キャリアアグリゲーションまたはデュアル接続性のために使用されるが、初期アクセス、セル選択／再選択、またはハンドオーバのために使用されないセルであり得る。いくつかの場合には、ＤＣｅｌｌは同期信号（ＳＳ）を送信しないことがあり、いくつかの場合場合には、ＤＣｅｌｌはＳＳを送信し得る。ＴＲＰは、セルタイプを示すダウンリンク信号をＵＥに送信し得る。セルタイプインジケーションに基づいて、ＵＥはＴＲＰと通信し得る。たとえば、ＵＥは、示されたセルタイプに基づいて、セル選択、アクセス、ハンドオーバ、および／または測定のために考慮すべきＴＲＰを決定し得る。
【００２８】
[0040]いくつかの場合には、ＵＥは、無線アクセスネットワーク（ＲＡＮ）から測定構成を受信することができる。測定構成情報は、ＵＥが測定すべきＡＣｅｌｌまたはＤＣｅｌｌを示し得る。ＵＥは、測定構成情報に基づいてセルからの測定基準信号（ＭＲＳ）を監視し、および／または検出し得る。いくつかの場合には、ＵＥはＭＲＳをブラインド検出し得る。いくつかの場合には、ＵＥは、ＲＡＮから示されたＭＲＳ識別子（ＭＲＳ−ＩＤ）に基づいてＭＲＳを検出し得る。ＵＥは測定結果を報告し得る。
例示的なワイヤレス通信システム
[0041]図１は、本開示の態様が実行され得る例示的なワイヤレスネットワーク１００を示す。たとえば、ワイヤレスネットワークは、新無線（ＮＲ）または５Ｇネットワークであり得る。
【００２９】
[0042]態様によれば、ワイヤレスネットワーク１００は異種ヌメロロジーシステムであり得、ここにおいて、ネットワーク１００内のＵＥ１２０は、非同期であり、異なるキャリア間間隔を有し、および／または異なるサイクリックプレフィックス長を有し得る。態様によれば、ＢＳ１１０ａなど、ＢＳは、異なるサービス要件を有する異なるサービスをサポートし得る。たとえば、ＢＳ１１０ａは、異なるサブキャリア間隔をもつサブフレームをサポートし得る。ＢＳ１１０ａは、第１のサブキャリア間隔を使用してＵＥ１２０ａと通信し得、第２のサブキャリア間隔を使用してＵＥ１２０ｂと通信し得る。ＵＥ１２０ａ、１２０ｂは、１つまたは複数のヌメロロジーに従って動作するように構成され得る。その様式で、ネットワークが、異なるサブキャリア間隔をもつサブフレームをサポートし得る。
【００３０】
[0043]態様によれば、異なるサービス要件に関連するサブキャリア間隔は、スケーリングされ得る。非限定的な例として、説明のみの目的で、サブキャリア間隔は、１５ｋＨｚ、３０ｋＨｚ、６０ｋＨｚ、１２０ｋＨｚなど（たとえば、ｘ１、ｘ２、ｘ４、ｘ８など）であり得る。別の例によれば、サブキャリア間隔は、１７．５ｋＨｚ、３５ｋＨｚなど（たとえば、ｘ１、ｘ２、ｘ３、ｘ４など）であり得る。本明細書で説明される態様は、異種ヌメロロジーシステムにおいてデバイスをスケジュールし、１つまたは複数のデバイスと通信するために有益であり得る、異種ヌメロロジーシステムのためのトーン割振りおよびリソースブロック定義のための方法を提供する。
【００３１】
[0044]本明細書で説明されるように、ヌメロロジーは、サブキャリア間隔と周波数におけるシフトとに少なくとも部分的に基づき得る。ＢＳ１１０ａとＵＥ１２０ａとは、ヌメロロジーを使用して決定されたトーンを使用して通信し得る。追加または代替として、ＢＳ１１０ａと１２０ａとは、ヌメロロジーを使用して定義されたＲＢを使用して通信し得る。
【００３２】
[0045]本開示のいくつかの態様によれば、ＵＥ１２０は、図１２を参照しながら本明細書で説明されるように、送信の第１の部分中に第１の送信電力を使用することから送信の第２の部分中に第２の送信電力に変更することと、第１の送信電力から第２の送信電力に変更することに関連する潜在的位相コヒーレンス損失を緩和するためのアクションをとることとを行い得る。
【００３３】
[0046]本開示のいくつかの態様によれば、ＢＳ１１０は、図１３を参照しながら本明細書で説明されるように、第１の送信を送信するようにＵＥ（たとえば、ＵＥ１２０）をスケジュールする第１の許可を送信することと、ここにおいて、ＵＥが、第１の送信の第１の部分中に第１の送信電力を使用することから第１の送信の第２の部分中に第２の送信電力に変更する、第１の送信電力または第２の送信電力のうちの少なくとも１つのインジケーションを備える第２の送信を送信するようにＵＥをスケジュールする第２の許可を送信することと、インジケーションに基づいて、ＵＥから第１の送信を受信することとを行うように構成され得る。さらに、ＢＳ１１０とＵＥ１２０とは、図１２を参照しながら以下で説明される、送信の第１の部分中に第１の送信電力を使用することから送信の第２の部分中に第２の送信に変更すること、送信電力を変更することに関連する潜在的位相コヒーレンス損失を緩和するためのアクションをとることなど、本明細書で説明される他の態様を実行するように構成され得る。ＢＳは、送信受信ポイント（ＴＲＰ）を備え、および／またはそれを含み得る。
【００３４】
[0047]図１に示されているシステムは、たとえば、５Ｇネットワークであり得る。ワイヤレスネットワーク１００は、いくつかのノードＢ（たとえば、ｅノードＢ、ｅＮＢ、５ＧノードＢなど）１１０と他のネットワークエンティティとを含み得る。ノードＢは、ＵＥと通信する局であり得、基地局、アクセスポイント、または５ＧノードＢと呼ばれることもある。
【００３５】
[0048]各ノードＢ１１０は、特定の地理的エリアに通信カバレージを与え得る。３ＧＰＰおよびＮＲシステムでは、「セル」という用語は、この用語が使用されるコンテキストに応じて、ノードＢのカバレージエリアおよび／またはこのカバレージエリアをサービスするノードＢサブシステムを指すことができる。
【００３６】
[0049]ノードＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ）中のＵＥ、自宅内のユーザのためのＵＥなど）による制限付きアクセスを可能にし得る。マクロセルのためのノードＢはマクロノードＢと呼ばれることがある。ピコセルのためのノードＢはピコノードＢと呼ばれることがある。フェムトセルのためのノードＢは、フェムトノードＢまたはホームノードＢと呼ばれることがある。図１に示されている例では、ノードＢ１１０ａ、１１０ｂおよび１１０ｃは、それぞれマクロセル１０２ａ、１０２ｂおよび１０２ｃのためのマクロノードＢであり得る。ノードＢ１１０ｘは、ピコセル１０２ｘのためのピコノードＢであり得る。ノードＢ１１０ｙおよび１１０ｚは、それぞれフェムトセル１０２ｙおよび１０２ｚのためのフェムトノードＢであり得る。ノードＢは、１つまたは複数の（たとえば、３つの）セルをサポートし得る。
【００３７】
[0050]ワイヤレスネットワーク１００はまた、中継局を含み得る。中継局は、上流局（たとえば、ノードＢまたはＵＥ）からデータおよび／または他の情報の送信を受信し、そのデータおよび／または他の情報の送信を下流局（たとえば、ＵＥまたはノードＢ）に送る局である。中継局はまた、他のＵＥに対する送信を中継するＵＥであり得る。図１に示されている例では、中継局１１０ｒは、ノードＢ１１０ａとＵＥ１２０ｒとの間の通信を容易にするために、ノードＢ１１０ａおよびＵＥ１２０ｒと通信し得る。中継局は、リレーノードＢ、リレーなどと呼ばれることもある。
【００３８】
[0051]ワイヤレスネットワーク１００は、異なるタイプのノードＢ、たとえば、マクロノードＢ、ピコノードＢ、フェムトノードＢ、リレー、送信受信ポイント（ＴＲＰ）などを含む異種ネットワークであり得る。これらの異なるタイプのノードＢは、異なる送信電力レベル、異なるカバレージエリア、およびワイヤレスネットワーク１００における干渉に対する異なる影響を有し得る。たとえば、マクロノードＢは、高い送信電力レベル（たとえば、２０ワット）を有し得るが、ピコノードＢ、フェムトノードＢおよびリレーは、より低い送信電力レベル（たとえば、１ワット）を有し得る。
【００３９】
[0052]ワイヤレスネットワーク１００は、同期動作または非同期動作をサポートし得る。同期動作の場合、ノードＢは同様のフレームタイミングを有し得、異なるノードＢからの送信は時間的に近似的に整合され得る。非同期動作の場合、ノードＢは異なるフレームタイミングを有し得、異なるノードＢからの送信は時間的に整合されないことがある。本明細書で説明される技法は、同期動作と非同期動作の両方のために使用され得る。
【００４０】
[0053]ネットワークコントローラ１３０は、ノードＢのセットに結合し、これらのノードＢの協調および制御を行い得る。ネットワークコントローラ１３０はバックホールを介してノードＢ１１０と通信し得る。ノードＢ１１０はまた、たとえば、ワイヤレスバックホールまたはワイヤラインバックホールを介して直接または間接的に互いと通信し得る。
【００４１】
[0054]ＵＥ１２０（たとえば、１２０ｘ、１２０ｙなど）はワイヤレスネットワーク１００全体にわたって分散され得、各ＵＥは固定式または移動可能であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、ネットブック、スマートブックなどであり得る。ＵＥは、マクロノードＢ、ピコノードＢ、フェムトノードＢ、リレーなどと通信することが可能であり得る。図１において、両矢印付きの実線は、ダウンリンクおよび／またはアップリンク上での、ＵＥと、そのＵＥをサービスするように指定されたノードＢであるサービングノードＢとの間の所望の送信を示す。両矢印付きの破線は、ＵＥとノードＢとの間の干渉送信を示す。
【００４２】
[0055]ＬＴＥは、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。新無線（ＮＲ）は、ＯＦＤＭベース以外の異なるエアインターフェースを使用し得る。ＮＲネットワークは、エンティティ、そのような中央ユニットまたは分散型ユニットを含み得る。
【００４３】
[0056]本明細書で説明される例の態様は、ＬＴＥ技術に関連付けられ得るが、本開示の態様は、ＮＲなど、他のワイヤレス通信システムとともに適用可能であり得る。ＮＲは、アップリンクおよびダウンリンク上でＣＰを伴うＯＦＤＭを利用し、ＴＤＤを使用する半二重動作のサポートを含み得る。１００ＭＨＺの単一のコンポーネントキャリア帯域幅が、サポートされ得る。ＮＲリソースブロックは、０．１ｍｓ持続時間にわたって７５ｋＨｚのサブキャリア帯域幅をもつ１２個のサブキャリアにわたり得る。各無線フレームは、各々が５つのサブフレームからなる２つの１／２フレームからなり、１０ｍｓの長さをもち得る。したがって、各サブフレームは、１ｍｓの長さを有し得る。各サブフレームは、データ送信のためのリンク方向（すなわち、ＤＬまたはＵＬ）を示し得、各サブフレームのためのリンク方向は、動的に切り替えられ得る。各サブフレームは、ＤＬ／ＵＬデータならびにＤＬ／ＵＬ制御データを含み得る。ビームフォーミングがサポートされ得、ビーム方向が動的に構成され得る。プリコーディングを用いたＭＩＭＯ送信も、サポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームをもつマルチレイヤ送信が、サポートされ得る。複数のセルのアグリゲーションが、最高８つのサービングセルを用いてサポートされ得る。代替的に、ＮＲは、ＯＦＤＭベース以外の異なるエアインターフェースをサポートし得る。ＮＲネットワークは、エンティティ、そのような中央ユニットまたは分散型ユニットを含み得る。
【００４４】
[0057]図２は、電気通信システム（たとえば、ＬＴＥ）において使用されるダウンリンク（ＤＬ）フレーム構造を示す。ダウンリンクについての送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中のＮ個のサブキャリア（たとえば、１２個のサブキャリア）をカバーし得る。
【００４５】
[0058]ＬＴＥでは、ノードＢは、ノードＢ中の各セルについて１次同期信号（ＰＳＳ）と２次同期信号（ＳＳＳ）とを送り得る。１次同期信号および２次同期信号は、図２に示されているように、それぞれ、ノーマルサイクリックプレフィックスをもつ各無線フレームのサブフレーム０および５の各々中のシンボル期間６および５中で送られ得る。同期信号は、セル検出および獲得のためにＵＥによって使用され得る。ノードＢは、サブフレーム０のスロット１中のシンボル期間０〜３中で物理ブロードキャストチャネル（ＰＢＣＨ）を送り得る。ＰＢＣＨはあるシステム情報を搬送し得る。
【００４６】
[0059]ノードＢは、図２中の第１のシンボル期間全体において示されているが、各サブフレームの第１のシンボル期間の一部分のみの中で物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を伝達し得、ただし、Ｍは、１、２または３に等しくなり得、サブフレームごとに変化し得る。Ｍはまた、たとえば、リソースブロックが１０個未満である、小さいシステム帯域幅では４に等しくなり得る。図２に示されている例では、Ｍ＝３である。ノードＢは、各サブフレームの最初のＭ個（図２ではＭ＝３）のシンボル期間中で物理ＨＡＲＱインジケータチャネル（ＰＨＩＣＨ）と物理ダウンリンク制御チャネル（ＰＤＣＣＨ）とを送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２中の第１のシンボル期間の中には示されていないが、ＰＤＣＣＨおよびＰＨＩＣＨは第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ノードＢは、各サブフレームの残りのシンボル期間中で物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００４７】
[0060]ノードＢは、ノードＢによって使用されるシステム帯域幅の中心１．０８ＭＨｚにおいてＰＳＳ、ＳＳＳおよびＰＢＣＨを送り得る。ノードＢは、これらのチャネルが送られる各シンボル期間中でシステム帯域幅全体にわたってＰＣＦＩＣＨおよびＰＨＩＣＨを送り得る。ノードＢは、システム帯域幅のいくつかの部分においてＵＥのグループにＰＤＣＣＨを送り得る。ノードＢは、システム帯域幅の特定の部分において特定のＵＥにＰＤＳＣＨを送り得る。ノードＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００４８】
[0061]各シンボル期間中でいくつかのリソース要素が利用可能であり得る。各リソース要素は、１つのシンボル期間中で１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ）中に配置され得る。各ＲＥＧは１つのシンボル期間中に４つのリソース要素を含み得る。ＰＣＦＩＣＨは、シンボル期間０中で、周波数にわたってほぼ等しく離間され得る、４つのＲＥＧを占有し得る。ＰＨＩＣＨは、１つまたは複数の構成可能なシンボル期間中で、周波数にわたって拡散され得る、３つのＲＥＧを占有し得る。たとえば、ＰＨＩＣＨのための３つのＲＥＧは、すべてシンボル期間０中に属し得るか、またはシンボル期間０、１および２中で拡散され得る。ＰＤＣＣＨは、最初のＭ個のシンボル期間中で、利用可能なＲＥＧから選択され得る、９、１８、３６または７２個のＲＥＧを占有し得る。ＲＥＧのいくつかの組合せのみがＰＤＣＣＨに対して可能にされ得る。
【００４９】
[0062]ＵＥは、ＰＨＩＣＨおよびＰＣＦＩＣＨのために使用される特定のＲＥＧを知り得る。ＵＥは、ＰＤＣＣＨのためのＲＥＧの異なる組合せを探索し得る。探索すべき組合せの数は、一般に、ＰＤＣＣＨに対して可能にされる組合せの数よりも少ない。ノードＢは、ＵＥが探索することになる組合せのいずれかにおいてＵＥにＰＤＣＣＨを送り得る。
【００５０】
[0063]ＵＥは、複数のノードＢのカバレージ内にあり得る。そのＵＥをサービスするために、これらのノードＢのうちの１つが選択され得る。サービングノードＢは、受信電力、経路損失、信号対雑音比（ＳＮＲ）など、様々な基準に基づいて選択され得る。
【００５１】
[0064]図３は、電気通信システム（たとえば、ＬＴＥ）におけるアップリンク（ＵＬ）フレーム構造の一例を示す図３００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００５２】
[0065]ＵＥは、ノードＢに制御情報を送信するために、制御セクション中のリソースブロック３１０ａ、３１０ｂを割り当てられ得る。ＵＥは、ノードＢにデータを送信するために、データセクション中のリソースブロック３２０ａ、３２０ｂをも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数にわたってホッピングし得る。
【００５３】
[0066]初期システムアクセスを実行し、物理ランダムアクセスチャネル（ＰＲＡＣＨ）３３０中でＵＬ同期を達成するために、リソースブロックのセットが使用され得る。ＰＲＡＣＨ３３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数は、ネットワークによって指定される。すなわち、ランダムアクセスプリアンブルの送信は、ある時間リソースおよび周波数リソースに制限される。ＰＲＡＣＨの場合、周波数ホッピングはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００５４】
[0067]図４は、本開示の態様を実装するために使用され得る、図１に示されている基地局１１０およびＵＥ１２０の例示的な構成要素を示す。ＢＳ１１０およびＵＥ１２０の１つまたは複数の構成要素は、本開示の態様を実施するために使用され得る。たとえば、ＵＥ１２０のアンテナ４５２、Ｔｘ／Ｒｘ２２２、プロセッサ４６６、４５８、４６４、および／またはコントローラ／プロセッサ４８０、ならびに／あるいはＢＳ１１０のアンテナ４３４、プロセッサ４６０、４２０、４３８、および／またはコントローラ／プロセッサ４４０は、本明細書で説明され、図１２〜図１３を参照しながら示される動作を実行するために使用され得る。ＢＳ１１０はＴＲＰを備え得る。図示のように、ＢＳ／ＴＲＰ１１０とＵＥ１２０とは、異種ヌメロロジーシステムにおけるトーン整合および／またはＲＢ定義を使用して通信し得る。
【００５５】
[0068]基地局１１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、出力サンプルストリームを取得するために、（たとえば、ＯＦＤＭなどのために）それぞれの出力シンボルストリームを処理し得る。各変調器４３２は、さらに、ダウンリンク信号を取得するために、出力サンプルストリームを処理（たとえば、アナログに変換、増幅、フィルタ処理、およびアップコンバート）し得る。変調器４３２ａ〜４３２ｔからのダウンリンク信号は、それぞれアンテナ４３４ａ〜４３４ｔを介して送信され得る。送信プロセッサ４２０と、ＴＸ  ＭＩＭＯプロセッサ４３０と、変調器４３２ａ〜４３２ｔと、アンテナ４３４ａ〜４３４ｔとは、基地局の送信チェーンと総称され得る。
【００５６】
[0069]ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４は、さらに、受信シンボルを取得するために、（たとえば、ＯＦＤＭなどのための）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実行し、検出シンボルを与え得る。受信プロセッサ４５８は、検出シンボルを処理（たとえば、復調、デインターリーブ、および復号）し、ＵＥ１２０のための復号されたデータをデータシンク４６０に与え、復号された制御情報をコントローラ／プロセッサ４８０に与え得る。受信プロセッサ４５８と、ＭＩＭＯ検出器４５６と、復調器４５４ａ〜４５４ｒと、アンテナ４５２ａ〜４５２ｒとは、ＵＥの受信チェーンと総称され得る。
【００５７】
[0070]アップリンク上では、ＵＥ１２０において、送信プロセッサ４６４が、データソース４６２から（たとえば、ＰＵＳＣＨのための）データを受信し、処理し得、コントローラ／プロセッサ４８０から（たとえば、ＰＵＣＣＨのための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）復調器４５４ａ〜４５４ｒによって処理され、基地局１１０に送信され得る。送信プロセッサ４６４と、ＴＸ  ＭＩＭＯプロセッサ４６６と、変調器４５４ａ〜４５４ｒと、アンテナ４５２ａ〜４５２ｒとは、ＵＥの送信チェーンと総称され得る。基地局１１０において、ＵＥ１２０からのアップリンク信号は、アンテナ４３４によって受信され、変調器４３２によって処理され、適用可能な場合はＭＩＭＯ検出器４３６によって検出され、ＵＥ１２０によって送られた、復号されたデータおよび制御情報を取得するために、受信プロセッサ４３８によってさらに処理され得る。受信プロセッサ４３８は、復号されたデータをデータシンク４３９に与え、復号された制御情報をコントローラ／プロセッサ４４０に与え得る。受信プロセッサ４３８と、ＭＩＭＯ検出器４３６と、復調器４３２ａ〜４３２ｔと、アンテナ４３４ａ〜４３４ｔとは、基地局の受信チェーンと総称され得る。
【００５８】
[0071]コントローラ／プロセッサ４４０および４８０は、それぞれ基地局１１０およびＵＥ１２０における動作を指示し得る。基地局１１０におけるプロセッサ４４０ならびに／または他のプロセッサおよびモジュールは、たとえば、図１２および図１３を参照しながら以下で説明される動作１２００および１３００など、本明細書で説明される技法のための様々なプロセスを実行するか、またはその実行を指示し得る。ＵＥ１２０におけるプロセッサ４８０ならびに／または他のプロセッサおよびモジュールはまた、たとえば、図１２に示されている機能ブロック、および／または本明細書で説明される技法のための他のプロセスを実行するか、またはその実行を指示し得る。メモリ４４２および４８２は、それぞれ基地局１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００５９】
[0072]図５は、本開示の態様が実施され得る、図２中のトランシーバフロントエンド２２２、２５４など、例示的なトランシーバフロントエンド５００のブロック図である。トランシーバフロントエンド５００は、１つまたは複数のアンテナを介して信号を送信するための（送信チェーンとしても知られる）送信（ＴＸ）経路５０２と、アンテナを介して信号を受信するための（受信チェーンとしても知られる）受信（ＲＸ）経路５０４とを含む。ＴＸ経路５０２とＲＸ経路５０４とがアンテナ５０３を共有するとき、経路は、インターフェース５０６を介してアンテナと接続され得、インターフェース５０６は、デュプレクサ、スイッチ、ダイプレクサなどの様々な好適なＲＦデバイスのいずれかを含み得る。
【００６０】
[0073]デジタルアナログ変換器（ＤＡＣ）５０８から同相（Ｉ）または直交位相（Ｑ）ベースバンドアナログ信号を受信するとき、ＴＸ経路５０２は、ベースバンドフィルタ（ＢＢＦ）５１０と、ミキサ５１２と、ドライバ増幅器（ＤＡ）５１４と、電力増幅器（ＰＡ）５１６とを含み得る。ＢＢＦ５１０と、ミキサ５１２と、ＤＡ５１４とは、無線周波数集積回路（ＲＦＩＣ）中に含まれ得るが、ＰＡ５１６はＲＦＩＣの外部にあり得る。本開示のいくつかの態様では、ＢＢＦ５１０は、以下で説明されるように同調可能アクティブフィルタを含み得る。ＢＢＦ５１０は、ＤＡＣ５０８から受信されたベースバンド信号をフィルタ処理し、ミキサ５１２は、当該のベースバンド信号を異なる周波数に変換する（たとえば、ベースバンドからＲＦにアップコンバートする）ために、フィルタ処理されたベースバンド信号を送信局部発振器（ＬＯ）信号と混合する。この周波数変換プロセスは、ＬＯ周波数と当該の信号の周波数との和および差周波数を生成する。和および差周波数は、ビート周波数と呼ばれる。ビート周波数は、一般に、ＲＦ範囲内にあり、したがって、ミキサ５１２によって出力される信号は、一般に、ＲＦ信号であり、ＤＡ５１４によって増幅され、および／または、アンテナ５０３による送信の前にＰＡ５１６によって増幅され得る。
【００６１】
[0074]ＲＸ経路５０４は、低雑音増幅器（ＬＮＡ）５２２と、ミキサ５２４と、ベースバンドフィルタ（ＢＢＦ）５２６とを含む。本開示のいくつかの態様では、ＢＢＦ５２６は、以下で説明されるように同調可能アクティブフィルタを含み得る。ＬＮＡ５２２と、ミキサ５２４と、ＢＢＦ５２６とは、ＴＸ経路構成要素を含む同じＲＦＩＣであることも、そうでないこともある無線周波数集積回路（ＲＦＩＣ）中に含まれ得る。アンテナ５０３を介して受信されるＲＦ信号は、ＬＮＡ５２２によって増幅され得、ミキサ５２４は、当該のＲＦ信号を異なるベースバンド周波数に変換する（すなわち、ダウンコンバートする）ために、増幅されたＲＦ信号を受信局部発振器（ＬＯ）信号と混合する。ミキサ５２４によって出力されたベースバンド信号は、デジタル信号処理のためにデジタルＩまたはＱ信号にアナログデジタル変換器（ＡＤＣ）５２８によって変換される前に、ＢＢＦ５２６によってフィルタ処理され得る。本開示のいくつかの態様では、ＰＡ５１６および／またはＬＮＡ５２２は、差動増幅器を使用して実装され得る。
【００６２】
[0075]ＬＯの出力が周波数において安定したままであることが望ましいが、ＬＯを異なる周波数に同調させることは、可変周波数発振器を使用することを一般に伴い、これは、安定性と同調性との間の妥協を伴う。現代のシステムは、特定の同調範囲をもつ安定した、同調可能なＬＯを生成するために、電圧制御発振器（ＶＣＯ）をもつ周波数シンセサイザを採用し得る。したがって、送信ＬＯ周波数は、ＴＸ周波数シンセサイザ５１８によって生成され得、送信ＬＯ周波数は、ミキサ５１２中でベースバンド信号と混合される前に、増幅器５２０によってバッファまたは増幅され得る。同様に、受信ＬＯ周波数は、ＲＸ周波数シンセサイザ５３０によって生成され得、受信ＬＯ周波数は、ミキサ５２４中でＲＦ信号と混合される前に、増幅器５３２によってバッファまたは増幅され得る。
【００６３】
[0076]図６は、ＬＴＥにおけるユーザプレーンおよび制御プレーンのための無線プロトコルアーキテクチャの一例を示す図６００である。ＵＥおよびノードＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤは本明細書では物理レイヤ６０６と呼ばれる。レイヤ２（Ｌ２レイヤ）６０８は、物理レイヤ６０６の上にあり、物理レイヤ６０６を介したＵＥとノードＢとの間のリンクを担当する。
【００６４】
[0077]ユーザプレーンでは、Ｌ２レイヤ６０８は、ネットワーク側のノードＢにおいて終端される、メディアアクセス制御（ＭＡＣ）サブレイヤ６１０と、無線リンク制御（ＲＬＣ）サブレイヤ６１２と、パケットデータコンバージェンスプロトコル（ＰＤＣＰ）６１４サブレイヤとを含む。図示されていないが、ＵＥは、ネットワーク側のパケットデータネットワーク（ＰＤＮ）ゲートウェイにおいて終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ６０８の上にいくつかの上位レイヤを有し得る。
【００６５】
[0078]ＰＤＣＰサブレイヤ６１４は、異なる無線ベアラと論理チャネルとの間で多重化を行う。ＰＤＣＰサブレイヤ６１４はまた、無線送信オーバーヘッドを低減するために上位レイヤデータパケットのヘッダ圧縮と、データパケットを暗号化することによるセキュリティと、ＵＥに対するノードＢ間のハンドオーバサポートとを与える。ＲＬＣサブレイヤ６１２は、上位レイヤデータパケットのセグメンテーションおよびリアセンブリと、紛失データパケットの再送信と、ハイブリッド自動再送要求（ＨＡＲＱ）による、順序が狂った受信を補償するためのデータパケットの並べ替えとを行う。ＭＡＣサブレイヤ６１０は、論理チャネルとトランスポートチャネルとの間の多重化を行う。ＭＡＣサブレイヤ６１０はまた、ＵＥの間で１つのセル中の様々な無線リソース（たとえば、リソースブロック）を割り振ることを担当する。ＭＡＣサブレイヤ６１０はまた、ＨＡＲＱ動作を担当する。
【００６６】
[0079]制御プレーンでは、ＵＥおよびノードＢのための無線プロトコルアーキテクチャは、制御プレーンのためのヘッダ圧縮機能がないことを除いて、物理レイヤ６０６およびＬ２レイヤ６０８について実質的に同じである。制御プレーンはまた、レイヤ３（Ｌ３レイヤ）中に無線リソース制御（ＲＲＣ）サブレイヤ６１６を含む。ＲＲＣサブレイヤ６１６は、無線リソース（すなわち、無線ベアラ）を取得することと、ノードＢとＵＥとの間のＲＲＣシグナリングを使用して下位レイヤを構成することとを担当する。
【００６７】
[0080]図７は、ノーマルサイクリックプレフィックスをもつ、ダウンリンクのための２つの例示的なサブフレームフォーマット７１０および７２０を示す。ダウンリンクのための利用可能な時間周波数リソースはリソースブロックに区分され得る。各リソースブロックは、１つのスロット中の１２個のサブキャリアをカバーし得、いくつかのリソース要素を含み得る。各リソース要素は、１つのシンボル期間中に１つのサブキャリアをカバーし得、実数値または複素数値であり得る１つの変調シンボルを送るために使用され得る。
【００６８】
[0081]サブフレームフォーマット７１０は、２つのアンテナを装備したノードＢのために使用され得る。ＣＲＳは、シンボル期間０、４、７および１１中にアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成される、セルに固有である基準信号である。図７では、ラベルＲaをもつ所与のリソース要素について、アンテナａからはそのリソース要素上で変調シンボルが送信され得、他のアンテナからはそのリソース要素上で変調シンボルが送信されないことがある。サブフレームフォーマット７２０は、４つのアンテナを装備したノードＢのために使用され得る。ＣＲＳは、シンボル期間０、４、７および１１中にアンテナ０および１から送信され得、シンボル期間１および８中にアンテナ２および３から送信され得る。サブフレームフォーマット７１０とサブフレームフォーマット７２０の両方について、ＣＲＳは、セルＩＤに基づいて決定され得る、均等に離間したサブキャリア上で送信され得る。異なるノードＢが、それらのセルＩＤに応じて、同じまたは異なるサブキャリア上でそれらのＣＲＳを送信し得る。サブフレームフォーマット７１０とサブフレームフォーマット７２０の両方について、ＣＲＳのために使用されないリソース要素は、データ（たとえば、トラフィックデータ、制御データ、および／または他のデータ）を送信するために使用され得る。
【００６９】
[0082]ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００７０】
[0083]ＬＴＥにおけるＦＤＤのためのダウンリンクおよびアップリンクの各々について、インターレース構造が使用され得る。たとえば、０〜Ｑ−１のインデックスをもつＱ個のインターレースが定義され得、ここで、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ここで、ｑ∈｛０，．．．，Ｑ−１｝である。
【００７１】
[0084]ワイヤレスネットワークは、ダウンリンクおよびアップリンク上でのデータ送信のためにハイブリッド自動再送（ＨＡＲＱ）をサポートし得る。ＨＡＲＱの場合、送信機（たとえば、ノードＢ）は、パケットが受信機（たとえば、ＵＥ）によって正確に復号されるか、または何らかの他の終了条件が遭遇されるまで、パケットの１つまたは複数の送信を送り得る。同期ＨＡＲＱの場合、パケットのすべての送信が単一のインターレースのサブフレーム中で送られ得る。非同期ＨＡＲＱの場合、パケットの各送信は任意のサブフレーム中で送られ得る。
【００７２】
[0085]ＵＥは、複数のノードＢのカバレージエリア内に位置し得る。そのＵＥをサービスするために、これらのノードＢのうちの１つが選択され得る。サービングノードＢは、受信信号強度、受信信号品質、経路損失など、様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ノードＢからの高い干渉を観測し得る支配的干渉シナリオにおいて動作し得る。
【００７３】
[0086]ＮＲセルは、ＮＲネットワークにおいて従って動作するセルを指し得る。ＮＲノードＢ（たとえば、ノードＢ１１０）は、１つまたは複数の送信受信ポイント（ＴＲＰ）に対応し得る。本明細書で使用されるセルは、ダウンリンク（また、潜在的にアップリンク）リソースの組合せを指し得る。ダウンリンクリソースのキャリア周波数とアップリンクリソースのキャリア周波数との間の連結は、ダウンリンクリソース上で送信されるシステム情報（ＳＩ）中で示される。たとえば、システム情報は、マスタ情報ブロック（ＭＩＢ）を搬送する物理ブロードキャストチャネル（ＰＢＣＨ）中で送信され得る。
【００７４】
[0087]ＮＲ  ＲＡＮアーキテクチャは、中央ユニット（ＣＵ）（たとえば、ネットワークコントローラ１３０）を含み得る。ＣＵは、アクセスノードコントローラ（ＡＮＣ）であり得る。ＣＵは、ＲＡＮ−ＣＮに対するバックホールインターフェースを終端し、ネイバーＲＡＮノードに対するバックホールインターフェースを終端する。ＲＡＮは、１つまたは複数のＡＮＣ（図示せず）に接続され得る１つまたは複数のＴＲＰであり得る分散型ユニットを含み得る。ＴＲＰは、システム情報（たとえば、グローバルＴＲＰ  ＩＤ）を広告し得、ＰＤＣＰ／ＲＬＣ／ＭＡＣ機能を含み得、１つまたは複数のアンテナポートを備え得、個々に（動的選択）または共同で（共同送信）に構成され得、ＵＥにトラフィックをサービスし得る。
【００７５】
[0088]異種ヌメロロジーワイヤレス通信システムは、ＵＥが非同期であり、異なるキャリア間間隔を有し、および／または異なるサイクリックプレフィックス長を有し得るシステムを指し得る。本開示の態様によれば、異なるヌメロロジーのためのトーンが整合され得る。ヌメロロジーは、サブキャリア間隔とトーンシフトとに基づき得る。本明細書で説明されるように、ヌメロロジーにかかわらず、異種ヌメロロジーワイヤレスシステムからのトーンは周波数整合され得る。
【００７６】
[0089]本開示の態様によれば、ビームフォーミングシステムでは、特定の方向において（たとえば、ＢＳから）送信されるブロードキャスト信号のみが、ＵＥまたは他のデバイスのサブセットに達し得る。動的ＴＤＤ動作の場合、送信機は、次のＮ個のスロットまたはサブフレームのためのスロットまたはフレーム構造を示すためのスロットまたはフレームフォーマットインジケータを送信し得る。しかしながら、複数のユーザ（たとえば、ＵＥ、ＢＳ）がＮ個のスロットまたはサブフレーム中でスケジュールされ得、ユーザは、ＴＤＭまたはＦＤＭを使用することによって送信リソース（たとえば、Ｎ個のスロットまたはサブフレームのための利用可能な周波数）を共有し得る。それらのユーザは、ｅＮＢまたはｇＮＢなど、送信機との（１つまたは複数の）異なるビームフォーミングまたはビームペアリング関連付けを有し得る。送信機（たとえば、ＢＳ、ｅＮＢ、ｇＮＢ）は、Ｎ個のスロットまたはサブフレームの最初に、数個のＯＦＤＭシンボル中でスロットまたはフレームフォーマットインジケータを送信し得る。非ビームフォーミングシステムの場合、１つのそのようなインジケータを送信すること（たとえば、範囲中のすべてのデバイスへのブロードキャスト）が十分であり得る。
【００７７】
[0090]図８はＤＬ中心サブフレームの一例を示す図８００である。ＤＬ中心サブフレームは制御部分８０２を含み得る。制御部分８０２は、ＤＬ中心サブフレームの初期部分または開始部分中に存在し得る。制御部分８０２は、ＤＬ中心サブフレームの様々な部分に対応する様々なスケジューリング情報および／または制御情報を含み得る。いくつかの構成では、制御部分８０２は、図８に示されているように、物理ＤＬ制御チャネル（ＰＤＣＣＨ）であり得る。ＤＬ中心サブフレームは、ＤＬデータ部分８０４をも含み得る。ＤＬデータ部分８０４は、時々、ＤＬ中心サブフレームのペイロードと呼ばれることがある。ＤＬデータ部分８０４は、スケジューリングエンティティ（たとえば、ＵＥまたはＢＳ）から従属エンティティ（たとえば、ＵＥ）にＤＬデータを通信するために利用される通信リソースを含み得る。いくつかの構成では、ＤＬデータ部分８０４は、物理ＤＬ共有チャネル（ＰＤＳＣＨ）であり得る。
【００７８】
[0091]ＤＬ中心サブフレームは、共通ＵＬ部分８０６をも含み得る。共通ＵＬ部分８０６は、時々、ＵＬバースト、共通ＵＬバースト、および／または様々な他の好適な用語で呼ばれることがある。共通ＵＬ部分８０６は、ＤＬ中心サブフレームの様々な他の部分に対応するフィードバック情報を含み得る。たとえば、共通ＵＬ部分８０６は、制御部分８０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分８０６は、ランダムアクセスチャネル（ＲＡＣＨ）プロシージャに関係する情報、スケジューリング要求（ＳＲ）、および様々な他の好適なタイプの情報など、追加または代替の情報を含み得る。図８に示されているように、ＤＬデータ部分８０４の終端は、ガード期間８０８によって共通ＵＬ部分８０６の始端から時間的に分離され得る。このガード期間は、時々、ギャップ、ガードインターバル、および／または様々な他の好適な用語で呼ばれることがある。このガード期間は、ＤＬ通信（たとえば、従属エンティティ（たとえば、ＵＥ）による受信動作）からＵＬ通信（たとえば、従属エンティティ（たとえば、ＵＥ）による送信）への切替えのための時間を与える。上記はＤＬ中心サブフレームの一例にすぎず、同様の特徴を有する代替構造が、本明細書で説明される態様から必ずしも逸脱することなしに存在し得ることを当業者は理解されよう。
【００７９】
[0092]図９は、ＵＬ中心サブフレームの一例を示す図９００である。ＵＬ中心サブフレームは制御部分９０２を含み得る。制御部分９０２は、ＵＬ中心サブフレームの初期部分または開始部分中に存在し得る。図９中の制御部分９０２は、図８を参照しながら上記で説明された制御部分と同様であり得る。ＵＬ中心サブフレームは、ＵＬデータ部分９０４をも含み得る。ＵＬデータ部分９０４は、時々、ＵＬ中心サブフレームのペイロードと呼ばれることがある。ＵＬ部分は、従属エンティティ（たとえば、ＵＥ）からスケジューリングエンティティ（たとえば、ＵＥまたはＢＳ）にＵＬデータを通信するために利用される通信リソースを指し得る。いくつかの構成では、制御部分９０２は、物理ＤＬ制御チャネル（ＰＤＣＣＨ）であり得る。
【００８０】
[0093]図９に示されているように、制御部分９０２の終端は、ガード期間９０８によってＵＬデータ部分９０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）への切替えのための時間を与える。ＵＬ中心サブフレームは、共通ＵＬ部分９０６をも含み得る。図９中の共通ＵＬ部分９０６は、図８を参照しながら上記で説明された共通ＵＬ部分８０６と同様であり得る。共通ＵＬ部分９０６は、追加または代替の、チャネル品質インジケータ（ＣＱＩ）に関係する情報、サウンディング基準信号（ＳＲＳ）、および様々な他の好適なタイプの情報を含み得る。上記はＵＬ中心サブフレームの一例にすぎず、同様の特徴を有する代替構造が、本明細書で説明される態様から必ずしも逸脱することなしに存在し得ることを当業者は理解されよう。
【００８１】
[0094]いくつかの状況では、２つまたはそれ以上の従属エンティティ（たとえば、ＵＥ）が、サイドリンク信号を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ）通信、ＩｏＴ通信、ミッションクリティカルメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある従属エンティティ（たとえば、ＵＥ１）から別の従属エンティティ（たとえば、ＵＥ２）に通信される信号を指し得る。いくつかの例では、サイドリンク信号は、（一般に、無認可スペクトルを使用するワイヤレスローカルエリアネットワークとは異なり）認可スペクトルを使用して通信され得る。
【００８２】
[0095]ＵＥは、リソースの専用セットを使用してパイロットを送信することに関連する構成（たとえば、無線リソース制御（ＲＲＣ）専用状態など）、またはリソースの共通セットを使用してパイロットを送信することに関連する構成（たとえば、ＲＲＣ共通状態など）を含む、様々な無線リソース構成において動作し得る。ＲＲＣ専用状態において動作するとき、ＵＥは、ネットワークにパイロット信号を送信するためのリソースの専用セットを選択し得る。ＲＲＣ共通状態において動作するとき、ＵＥは、ネットワークにパイロット信号を送信するためのリソースの共通セットを選択し得る。いずれの場合も、ＵＥによって送信されたパイロット信号は、ＡＮ、またはＤＵ、あるいはそれらの部分など、１つまたは複数のネットワークアクセスデバイスによって受信され得る。各受信ネットワークアクセスデバイスは、リソースの共通セット上で送信されたパイロット信号を受信および測定し、また、ネットワークアクセスデバイスが、それについて、ＵＥのためのネットワークアクセスデバイスの監視セットのメンバーであるＵＥに割り振られたリソースの専用セット上で送信されたパイロット信号を受信および測定するように構成され得る。受信ネットワークアクセスデバイスのうちの１つまたは複数、あるいは（１つまたは複数の）受信ネットワークアクセスデバイスが、パイロット信号の測定値をそれに送信するＣＵは、ＵＥのためのサービングセルを識別するために、またはＵＥのうちの１つまたは複数のためのサービングセルの変更を開始するために、測定値を使用し得る。
新無線における電力遷移を扱う例
【００８３】
[0096]ＮＲ（たとえば、第５世代技術フォーラム（５ＧＴＦ））ワイヤレス通信システムにおける送信機が送信の最中に電力レベルを変更することが望ましいことがある。送信の最中に電力レベルを変更することは、（たとえば、送信された波形の）位相コヒーレンスの損失を引き起こし得る。たとえば、位相コヒーレンスは、電力変更がデジタル的に実装されないが、代わりに、送信チェーンの（１つまたは複数の）アナログ利得段の変更を介して実装される場合、失われ得る。モバイルデバイス（たとえば、ＵＥ）は、基地局（たとえば、次世代ノードＢ（ｇＮＢ））が有しない実装制約を有し得るので、位相コヒーレンスの損失は、ダウンリンク（ＤＬ）送信においてよりもアップリンク（ＵＬ）送信において厳しいことがある。たとえば、モバイルデバイスが生成することができるデジタル利得の量は、基地局が生成することができるデジタル利得の量よりも少ないことがある。
【００８４】
[0097]本明細書で説明される本開示の態様によれば、デバイス（たとえば、ＵＥまたはＢＳ）は、送信の異なる部分のための異なる電力レベル（たとえば、直交周波数領域多重化（ＯＦＤＭ）シンボルに組み込まれた基準信号およびデータのための異なる電力レベル）をもつ送信を送信し得、デバイスは、送信の電力レベルを変更することから生じ得る位相コヒーレンス損失を緩和するための１つまたは複数のアクションをとり得る。位相コヒーレンス損失は、受信機に、送信を受信および復号することの困難を経験させ得、したがって、潜在的位相コヒーレンス損失を緩和することは、データスループットレートを改善し、および／または通信のエラーレートを低減し得る。
【００８５】
[0098]図１０Ａ〜図１０Ｃは、本開示の態様による、デバイスが異なる電力レベルをもつ送信を送信するときに生じ得る潜在的問題を示す例示的な送信タイムライン１０００、１０２０、および１０５０を示す。例示的なタイムライン１０００では、例示的な理想の波形１００４は、理想化された（すなわち、実際のものでない）送信機によって送信時間間隔（ＴＴＩ）１００２中で送信される。理想化された送信機は例示的なタイムライン１０００においてＴＴＩ１００２の外で送信しないことに留意されたい。理想化された送信機は、１００６において開始し、１００８において終了する理想の波形１００４を生成するが、１００６の前にまたは１００８の後に（すなわちＴＴＩ１００２以外のＴＴＩ中で）生成される波形は、ＴＴＩ１００２中の送信機のアクティビティによってまったく影響を受けず、すなわち、１００６の前にまたは１００８の後に生成される波形は、波形１００４にまったく依存しない。
【００８６】
[0099]図１０Ｂに示されている例示的なタイムライン１０２０では、例示的な波形１０２４が、ＴＴＩ１００２中で例示的な送信機（すなわち、図１および図４に示されているＵＥ１２０中の送信機などの実際の送信機であって、図１０Ａにおいて参照されるような理想化された送信機ではない）によって送信される。例示的な送信機は、たとえば、送信機の様々な構成要素が所望の電力レベルまでランプアップしているとき、ＴＴＩ１００２が１００６において開始する前にスプリアス送信（spurious transmission）１０２２を行う。波形１０２４は図１０Ａに示されている波形１００４と同様であるが、送信機はＴＴＩの外でスプリアス送信１０２２を送信することに留意されたい。
【００８７】
[0100]図１０Ｃに示されている例示的なタイムライン１０５０では、例示的な波形１０５４が、ＴＴＩ１００２中で例示的な送信機（すなわち、図１および図４に示されているＵＥ１２０中の送信機などの実際の送信機であって、図１０Ａにおいて参照されるような理想化された送信機ではない）によって送信される。例示的な送信機は、たとえば、送信機の様々な構成要素が所望の電力レベルまでランプアップしているとき、ＴＴＩ１００２中に（すなわち、ＴＴＩが１００６において開始した後に）スプリアス送信１０５２を行う。波形１０５４は、スプリアス送信１０５２により、図１０Ａに示されている波形１００４とは異なるが、送信機はＴＴＩの外で（すなわち、開始１００６の前にまたは終了１００８の後に）送信しないことに留意されたい。
【００８８】
[0101]図１１は、本開示の態様による、ＵＬ送信（たとえば、ＰＵＳＣＨ）の一例を示す図１１００である。ＵＥは、サブキャリアのセット１１０４上でスロット１１０２中でアップリンク送信を送信し得る。リソースブロックのリソース要素を表すためにリソースグリッドが使用され得る。図示のように、リソースブロックは、周波数領域中に１２個の連続するサブキャリアを含んでおり、時間領域中に７つの連続するＯＦＤＭシンボルを含んでおり、すなわち８４個のリソース要素を含んでいることがある。１１０６に示されているように、ＵＥは、ＯＦＤＭシンボルのいくつかのリソース要素上で基準信号（たとえば、ＤＭＲＳ）を送信し、ＯＦＤＭシンボルの他のＲＥをブランクのままにし得る。ＵＥは、１１０８に示されているように、他のＲＥの一部または全部上でデータを送信し得る。
【００８９】
[0102]例示的なタイムライン１１２０では、ＵＥは、１１３０において直線によって例示されているように、第１のＲＥ１１２２の開始をブランクのままにする。ＵＥは、第２のＲＥ１１２４のデータを伝達するために例示的な波形１１３２を送信する。第１の（ブランク）ＲＥ１１２２から第２の（データ）ＲＥ１１２４への遷移により、ＵＥは、たとえば、上記で説明された、図１０Ｂに示されているスプリアス送信と同様に、ＵＥの送信機の様々な構成要素が所望の電力レベルまでランプアップしているとき、第２のＲＥが１１２６において開始する前にスプリアス送信１１３４を行う。スプリアス送信１１３４は、その同じＲＥ中で行われている他の送信に干渉するか、または送信された波形における位相コヒーレンスの損失を引き起こし得るが、ＲＥ１１２４中で送信されるデータを変えない。
【００９０】
[0103]例示的なタイムライン１１５０では、ＵＥは、１１６０において直線によって例示されているように、第１のＲＥ１１５２をブランクのままにする。ＵＥは、第２のＲＥ１１５４のデータを伝達するために例示的な波形１１６４を送信する。第１の（ブランク）ＲＥ１１５２から第２の（データ）ＲＥ１１５４への遷移により、ＵＥは、たとえば、上記で説明された、図１０Ｃに示されているスプリアス送信と同様に、ＵＥの送信機の様々な構成要素が所望の電力レベルまでランプアップしているとき、第２のＲＥの開始１１５６においてスプリアス送信１１６４を行う。スプリアス送信１１６４は、送信された波形における位相コヒーレンスの損失または送信における何らかのデータの損失を引き起こし得るが、ＲＥ１１５２中の他の送信に干渉しない。
【００９１】
[0104]したがって、図１１に示されている例示的なアップリンク送信を送信するＵＥは、ＵＥがブランクのままにするべきであるＲＥ中でスプリアス送信を生成し、場合によっては、そのＲＥ上での他のＵＥによる送信に干渉し得るか、または、ＵＥは、ＵＥがデータを送信しているＲＥ中でスプリアス送信を生成し、場合によっては、送信の受信機に、たとえば、送信を復号するのに失敗することによって、データを誤解させ得る。どちらの場合も、送信の電力レベルの急激な変更は、生成された波形における位相コヒーレンスの損失を引き起こし得る。
【００９２】
[0105]すでに知られている通信システムと比較してはるかに短い、ＮＲ通信システムにおいて使用されるスロット長により、上記で説明されたスプリアス送信は、同じ送信機がすでに知られている（たとえば、ＬＴＥ）通信システムにおいて送信していた場合よりも大きい、ＲＥの部分中で行われ得ることに留意されたい。
【００９３】
[0106]本開示の態様によれば、ワイヤレスデバイスは、送信チェーンのデジタル部分中のデジタル利得を操作し、送信チェーンのアナログ部分中のアナログ利得を変更されないままにすることによって、送信における送信電力の急激な遷移に関係する位相コヒーレンス損失を緩和し得る。
【００９４】
[0107]図１２は、本開示の態様による、ワイヤレスデバイスによって実行され得るワイヤレス通信のための例示的な動作１２００を示す。ＵＥは、図１に示されているＵＥ１２０またはＢＳ１１０であり得、これは、図４に示されている１つまたは複数の構成要素を含み得る。
【００９５】
[0108]動作１２００は、ブロック１２０２において開始し、ワイヤレスデバイスが送信の第１の部分中に第１の送信電力を使用し、送信の第２の部分中に第２の送信電力を使用することを決定する。たとえば、（図１に示されている）ＵＥ１２０は、ＰＵＳＣＨの第１の部分（たとえば、シンボル期間の他のＲＥ上に復調基準信号（ＤＭＲＳ）を含んでいる、シンボル期間中のブランクＲＥ）中に第１の送信電力を使用し、ＰＵＳＣＨの第２の部分（たとえば、データを含んでいるＲＥ）中に（たとえば、第１の送信電力よりも高い）第２の送信電力を使用することを決定する。
【００９６】
[0109]ブロック１２０４において、動作１２００は続き、ワイヤレスデバイスが第１の送信電力から第２の送信電力に変更することに関連する潜在的位相コヒーレンス損失を緩和する。上記からの例を続けると、ＵＥ１２０は、第１の送信電力から第２の送信電力に変更することに関連する潜在的位相コヒーレンス損失）を緩和する（たとえば、送信チェーンのアナログ利得がシンボル期間間で変更されないままであることを可能にするように、ブランクＲＥとＤＭＲＳとを含んでいる、シンボル期間中のＲＥに関連するデジタル利得を増加させること、または、ＤＭＲＳのための低ピーク対平均電力比（ＰＡＰＲ）をもつシーケンスを選択すること）。
【００９７】
[0110]動作１２００は、ブロック１２０６において続き、ワイヤレスデバイスが第１の送信電力を使用して送信の第１の部分を送信し、第２の送信電力を使用して送信の第２の部分を送信する。上記からの例を続けると、ＵＥ１２０は、第１の送信電力を使用してＰＵＳＣＨの第１の部分（たとえば、シンボル期間の他のＲＥ上にＤＭＲＳを含んでいる、シンボル期間中のブランクＲＥ）を送信し、第２の送信電力を使用してＰＵＳＣＨの第２の部分（たとえば、データを含んでいるＲＥ）を送信する。
【００９８】
[0111]図１３は、本開示の態様による、ワイヤレスデバイスによって実行され得るワイヤレス通信のための例示的な動作１３００を示す。ワイヤレスデバイスは、図１に示されているＢＳ１１０または（たとえば、デバイスツーデバイス通信中の）他のＵＥのための通信をスケジュールするＵＥであり得、これは、図４に示されている１つまたは複数の構成要素を含み得る。
【００９９】
[0112]動作１３００は、ブロック１３０２において開始し、ワイヤレスデバイスが、第１の送信を送信するようにＵＥをスケジュールする第１の許可を送信し、ここにおいて、ＵＥが、第１の送信の第１の部分中に第１の送信電力を使用することから第１の送信の第２の部分中に第２の送信電力に変更する。たとえば、（図１に示されている）ＢＳ１１０は、第１の送信（たとえば、ＰＵＳＣＨ）を送信するようにＵＥ１２０をスケジュールする第１の許可を送信し、ここにおいて、ＵＥが、第１の送信の第１の部分（たとえば、データを含んでいるＲＥ）中に第１の送信電力を使用することから第１の送信の第２の部分（たとえば、ＤＭＲＳを含んでいるＲＥ）中に第２の送信電力に変更する。
【０１００】
[0113]１３０４において、動作１３００は続き、ワイヤレスデバイスが、第１の送信電力または第２の送信電力のうちの少なくとも１つのインジケーションを備える第２の送信を送信するようにＵＥをスケジュールする第２の許可を送信する。上記からの例を続けると、ＢＳ１１０は、第１の送信電力（たとえば、データを含んでいるＲＥの送信電力）のインジケーション（たとえば、ＰＵＣＣＨのフィールド中のビット）を備える第２の送信（たとえば、ＰＵＣＣＨ）を送信するようにＵＥ１２０をスケジュールする第２の許可を送信する。
【０１０１】
[0114]動作１３００はブロック１３０６において続き、ワイヤレスデバイスが、インジケーションに基づいて、ＵＥから第１の送信を受信する。上記からの例を続けると、ＢＳ１１０は、ブロック１３０４からの第１の送信電力のインジケーションに基づいて、ＵＥ１２０からＰＵＳＣＨを受信する。すなわち、ＢＳは、第２の許可によってスケジュールされる第２の送信中でＵＥによって示された送信電力に基づいてＰＵＳＣＨを受信する。
【０１０２】
[0115]本開示の態様によれば、ＮＲワイヤレス通信システムでは、いくつかのＯＦＤＭシンボル中で、いくつかのＲＥは空のままにされ（すなわち、ゼロ電力で送信され）なければならない。いくつかのＲＥが空のままにされたＯＦＤＭシンボルを送信することは、図１２中のブロック１２０２を参照しながら上記で説明されたように、送信の第１の部分中に第１の送信電力を使用することから送信の第２の部分中の第２の送信電力に変更することの一例であり得る。たとえば、いくつかのＲＥは、コムベース(comb-based)のＳＲＳ送信など、他のＵＥによる送信によって占有され得、ここにおいて、ＵＥは、あるＯＦＤＭシンボル上ではすべてのコムを割り当てられるが、次のＯＦＤＭシンボル上ではコムのサブセットを割り当てられ得る。別の例では、いくつかのＲＥは前方互換性のために予約され得、エアインターフェース仕様の将来のバージョンに従うＵＥは、その予約されたＲＥを使用し得る。また別の例では、いくつかのＲＥは、他のＵＥによる（１つまたは複数の）超高信頼低レイテンシ通信（ＵＲＬＬＣ）送信のために予約され得る。
【０１０３】
[0116]本開示の態様では、送信のいくつかのＲＥがブランキングされ、他のＲＥが変更なしに送られる場合、ＯＦＤＭシンボル中の全体的送信電力は、ブランキングなしのＯＦＤＭシンボルの送信電力とは異なる。送信電力のこの差は、デバイスによる送信中の位相不連続性（たとえば、図１２中のブロック１２０４において上述されたように、位相コヒーレンス損失）を引き起こす可能性を有する。
【０１０４】
[0117]本開示の態様によれば、送信デバイスは、ＯＦＤＭシンボルのいくつかのＲＥがブランキングされなければならない場合、ＯＦＤＭシンボル全体をブランキングし得る。ＯＦＤＭシンボル全体をブランキングすることは、図１２中のブロック１２０４を参照しながら上記で説明されたように、第１の送信電力から送信電力に変更することに関連する潜在的位相コヒーレンス損失を緩和するためのアクションをとることの一例であり得る。
【０１０５】
[0118]本開示の態様では、ＯＦＤＭシンボル全体のブランキングは、ワイヤレスデバイスによってデジタル的に（たとえば、図５に示されているＤＡＣ５０８によって取得されたＩおよびＱデジタル信号など、デジタル領域シンボル中で）行われ得る。送信チェーンの他の構成要素は同じエネルギーレベルにおいて作動されたままであるので、ＯＦＤＭシンボル全体をデジタル的にブランキングすることは位相コヒーレンスの損失を生じないことがある。しかしながら、ＯＦＤＭシンボル全体をブランキングすることは送信リソースを浪費し得る。
【０１０６】
[0119]本開示の態様によれば、ＯＦＤＭシンボル全体をデジタル的にブランキングするデバイスの送信チェーンのアナログ構成要素（たとえば、ＰＡ）から送信される、ある程度の残差送信電力があり得る。
【０１０７】
[0120]本開示の態様では、開示される技法に従って動作する通信システムは、ＵＥがより「完全に」オフに（すなわち、より長い連続持続時間の間オフに）されるときの送信電力制限よりも緩やかであり得る、これらの放出（たとえば、残差送信電力）を制限する新しいルールを使用し得る。
【０１０８】
[0121]本開示の態様によれば、送信デバイスは、送信のためにデジタル領域信号をアナログ領域信号に変換するより前に、デジタル領域信号中のＲＥをブランキングし得る。送信のためにデジタル領域信号をアナログ領域信号に変換するより前に、デジタル領域信号中のＲＥをブランキングすることは、図１２中のブロック１２０４を参照しながら上記で説明されたように、第１の送信電力から送信電力に変更することに関連する潜在的位相コヒーレンス損失を緩和するためのアクションをとることの一例であり得る。デバイスがデジタル領域中のＲＥをブランキングする場合、総送信電力は変化するが、送信チェーンのアナログ利得は変化せず、位相コヒーレンスの損失は生じない。これは、得られた送信電力のための準最適なアナログ利得設定を引き起こし得る。準最適なアナログ利得設定は、得られた送信の品質（たとえば、エラーベクトル振幅（ＥＶＭ）の計算）に影響を及ぼし得る。
【０１０９】
[0122]本開示の態様によれば、送信デバイスは、全体的送信電力を一貫したレベルにおいて維持するために、送信のためにデジタル領域信号をアナログ領域信号に変換するより前に、デジタル領域信号中のブランキングされていないＲＥの電力をブーストし得る。送信のためにデジタル領域信号をアナログ領域信号に変換するより前に、デジタル領域信号中のブランキングされていないＲＥの電力をブーストすることは、図１２中のブロック１２０４を参照しながら上記で説明されたように、第１の送信電力から第２の送信電力に変更することに関連する潜在的位相コヒーレンス損失を緩和するためのアクションをとることの一例であり得る。デジタル領域信号中のブランキングされていないＲＥの電力をブーストすることは、デバイスの送信チェーンのアナログ利得が変更されないままであることと、送信の総送信電力がシンボル期間間で変更されないこととを生じ得る。送信チェーンのアナログ利得が変更されないままである場合、位相コヒーレンスの損失がないことがある。本開示の態様では、たとえば、送信デバイスのデジタル領域利得がすでにそれらの最大設定にある場合、ブランキングされていないＲＥの電力をブーストすることが常に可能であるとは限らない。
【０１１０】
[0123]本開示の態様では、潜在的位相コヒーレンス損失を緩和するためのアクションをとるデバイスは、前に説明された技法の組合せを使用し得る。たとえば、デバイスは、デジタルブースティングが実現不可能であるときはいつでも位相コヒーレンスの損失により何らかの考えられる性能損失を招くことにより、総電力を変更されないように保つために、ブランキングされていないＲＥの電力を常にブーストし得、それは、そのようなブースティングが純粋にデジタル的に行われ得るか否かにかかわらず行われる。そのような場合、受信デバイスは、ブランキングされたＲＥをもたない他のＯＦＤＭシンボルに対するブランキングされたＲＥを含んでいるＯＦＤＭシンボルの電力レベルを知る。別の例では、送信デバイスは、デジタル的に可能な範囲内でのみ（たとえば、デジタル領域利得の最大設定まで）電力をブーストし、アナログ利得を変更されないように保ち得る。その場合、受信機は一般に送信機におけるデジタル設定に気づいていないので、受信デバイスは、適用されたブーストの量を知らないことがある。
【０１１１】
[0124]本開示の態様によれば、送信デバイスのデジタル領域利得設定は、現在の送信電力レベル、および送信機における複数の無線アクセス技術（ＲＡＴ）にわたるＴＸチェーン選択などの他のファクタに応じて、動的であり得る。
【０１１２】
[0125]本開示の態様では、送信デバイスは、送信に適用された送信電力ブーストのレベルを、送信の意図された受信機にシグナリングし得る。送信電力のレベルのシグナリングは、いくつかのタイプの送信のために受信機にとって重要であり得る。たとえば、ＳＲＳ送信の場合、異なるＯＦＤＭシンボル上で適用された相対送信電力ブーストは、ＳＲＳから推定されるチャネル品質を比較するためにＳＲＳの受信機によって使用される。別の例では、データ送信、特に長いデータ送信の場合、１つのＯＦＤＭシンボルのための電力レベルの変更について知ることは、受信機にとってあまり重要でないことがある。
【０１１３】
[0126]本開示の態様によれば、送信電力レベルのシグナリングは、ブーストされた送信電力レベルをもつ送信とは異なる送信時間間隔（ＴＴＩ）中で行われ得る。たとえば、（たとえば、基地局による）ＳＲＳ処理がタイムクリティカルでない場合、ＳＲＳ送信電力レベルは、送信ＵＥからの好適な「時間的近接（nearby in time）」ＰＵＣＣＨ送信において示され得る。
【０１１４】
[0127]本開示の態様では、送信電力レベルをシグナリングするためにＵＥが使用すべき「時間的近接」ＰＵＣＣＨまたはＵＬ制御送信がない場合、送信電力レベルをシグナリングするためのＰＵＣＣＨまたは他のＵＬ制御送信は、基地局によって明示的にスケジュールされ得る。送信電力レベルをシグナリングするためのＵＬ制御送信の明示的スケジューリングは、余分のオーバーヘッドを必要とし得る。
【０１１５】
[0128]本開示の態様によれば、送信電力レベルのシグナリングは、送信の波形、送信コンテンツ、および送信電力を含む、送信の送信タイプに応じて、有効化および／または無効化され得る。
【０１１６】
[0129]本開示の態様によれば、離散フーリエ変換シングルキャリア直交周波数分割多重化（ＤＦＴ−ｓ−ＯＦＤＭ）波形とともにπ／２  ２位相シフトキーイング（π／２−ＢＰＳＫまたはΠ／２−ＢＰＳＫ：pi/2 binary phase shift keying）変調を使用して送信することは、４位相シフトキーイング（ＱＰＳＫ）変調を使用して送信することよりも著しく低いピーク対平均電力比（ＰＡＰＲ）を有する。π／２−ＢＰＳＫ変調とＤＦＴ−ｓ−ＯＦＤＭ波形とを用いて送信することはまた、ＬＴＥ  ＵＬ送信において復調基準信号（ＤＭＲＳ）のための、それらの低ＰＡＰＲのために明示的に選定されたＺａｄｏｆｆ−Ｃｈｕシーケンスよりも低いＰＡＰＲを有する。
【０１１７】
[0130]本開示の態様では、ＤＭＲＳ送信のためにＺａｄｏｆｆ−Ｃｈｕシーケンスを再使用することは、ＤＭＲＳと同じ期間中にデータを伝達するために使用されるπ／２−ＢＰＳＫ  ＤＦＴ−ｓ−ＯＦＤＭ波形よりも高いＰＡＰＲを有するＺａｄｏｆｆ−Ｃｈｕシーケンスのために、特殊な処理を必要とし得る。
【０１１８】
[0131]本開示の態様では、新無線送信デバイスが（たとえば、ＬＴＥ送信デバイスと同様に）ＤＭＲＳ送信のためにＺａｄｏｆｆ−Ｃｈｕシーケンスを使用する場合、送信デバイスは、送信中のデータを伝達するＲＥのために送信デバイスが使用するのとは異なる、その送信中のＤＭＲＳ（たとえば、π／２−ＢＰＳＫ  ＤＦＴ−ｓ−ＯＦＤＭ波形よりも高いＰＡＰＲを有するＺａｄｏｆｆ−Ｃｈｕシーケンスに基づくＤＭＲＳ）ＲＥのための電力増幅器（ＰＡ）バックオフを適用し得る。これは、送信中で、データを伝達するＲＥについてと、ＤＭＲＳについてとの異なる送信電力を生じ、この場合も、場合によっては、送信中の位相不連続性（たとえば、位相コヒーレンスの損失）を引き起こし得る。
【０１１９】
[0132]本開示の態様によれば、上記で説明された同じ技法（たとえば、デジタル領域中でのＯＦＤＭシンボル全体のブランキングまたは他の技法によるブランキング、デジタル領域信号をアナログ領域信号に変換するより前にデジタル領域信号中のＲＥをブランキングすること、および／あるいは、デジタル領域信号をアナログ領域信号に変換するより前にデジタル領域信号中のブランキングされていないＲＥの電力をブーストすること）は、送信中の基準信号（たとえば、ＤＭＲＳ）と送信中のデータを伝達するＲＥとの間の位相コヒーレンスの潜在的損失を防ぐために送信デバイスによって使用され得る。
【０１２０】
[0133]本開示の態様では、送信デバイスは、送信中の基準信号（たとえば、ＤＭＲＳ）と送信中のデータを伝達するＲＥとの間の位相コヒーレンスの潜在的損失を緩和するために、デジタル領域信号中でのみ送信電力を変更し得る。さらに、送信デバイスは、送信デバイスによって使用される、データＲＥ送信電力とＤＭＲＳ  ＲＥ送信電力との得られた比（たとえば、送信電力比（ＴＰＲ））を、受信デバイスにシグナリングし得る。
【０１２１】
[0134]本開示の態様によれば、上記で説明された、データＲＥ送信電力とＤＭＲＳ  ＲＥ送信電力との得られた比のシグナリングは、通信システムにおいて随意であり、いくつかのコンディションにおいてのみ使用され得る。データＲＥ送信電力とＤＭＲＳ送信電力との得られた比のシグナリングが送信のために有効化されるかどうかの決定は、送信コンテンツおよび／または電力レベルに依存し得る。
【０１２２】
[0135]本開示の態様では、データＲＥ送信電力とＤＭＲＳ  ＲＥ送信電力との得られた比のシグナリングは、送信電力レベルにかかわらず、すなわち、ＰＡが飽和状態に近いか否かにかかわらず、固定ＴＰＲを適用することによって回避され得る（Ｚａｄｏｆｆ−Ｃｈｕシーケンスに基づくＤＭＲＳについて、π／２−ＢＰＳＫ  ＤＦＴ−ｓ−ＯＦＤＭ波形上のデータよりも少ない電力、またはデータに対するＤＭＲＳのデブースティング）。そのような場合、送信電力をデジタル的に低下させることによって、送信電力の変更によって引き起こされる位相不連続性が回避され得る。さらに、より低いＤＭＲＳ電力のために、受信機がチャネルを推定する困難を有する可能性をなくすために、そのような送信は、より高いＤＭＲＳオーバーヘッド、たとえば、より多くのＴＤＭ  ＤＭＲＳ  ＯＦＤＭシンボルをもつＤＭＲＳパターンを使用し得る。そのようなＤＭＲＳデブースティングを必要とする低ＰＡＰＲ波形のためのＤＭＲＳパターンおよびオーバーヘッドは、ＲＲＣシグナリングによって構成され得るか、あるいは、送信の変調およびコーディング方式（ＭＣＳ）および／または波形に基づいて暗黙的に導出され得る。すなわち、ＵＥは、送信のＭＣＳおよび／または波形に基づいて、ＤＭＲＳパターンおよびオーバーヘッドの暗黙的導出を決定し得る。たとえば、ＵＥは、ＵＥからのＵＬ送信のＭＣＳが、その送信がＤＦＴ−ｓ−ＯＦＤＭ波形とともにπ／２−ＢＰＳＫ変調を使用して送信されることになることを示すとき、ＵＥがＵＬ送信のデータとの時分割多重化様式で１つまたは複数の追加のＤＭＲＳ  ＯＦＤＭシンボルを送信することになるように、構成され得る。本例では、追加のＤＭＲＳ  ＯＦＤＭシンボルの数は、ＲＲＣシグナリングによってＵＥに示され得る。
【０１２３】
[0136]本開示の態様によれば、送信デバイスは、π／２−ＢＰＳＫ変調されたデータのＰＡＰＲに匹敵するかまたはそれよりも低いＰＡＰＲをもつ別のＤＭＲＳシーケンス（すなわち、Ｚａｄｏｆｆ−Ｃｈｕシーケンス以外）を使用し得る。
【０１２４】
[0137]本開示の態様では、複数のＵＥからのπ／２−ＢＰＳＫ  ＤＦＴ−ｓ−ＯＦＤＭ送信は、同じＲＢ中で一緒に多重化され得る。すなわち、複数のＵＥは、ＲＢのセットを介して異なるπ／２  ＤＦＴ−ｓ−ＯＦＤＭ送信を送信し得る。この場合、受信デバイスがＵＥの各々のＤＭＲＳを区別し得るように、ＵＥからの送信中に含まれるＤＭＲＳが直交することが望ましい。（たとえば、送信チェーン中の逆高速フーリエ変換（ＩＦＦＴ）の入力において）周波数領域中で直接ポピュレートされるＺａｄｏｆｆ−Ｃｈｕシーケンスに基づくＤＭＲＳの場合、ＤＭＲＳは、異なる周波数コムを使用すること（たとえば、各ＵＥが、周波数分割多重化（ＦＤＭ）様式でＲＢのセット中で多重化されるトーンの等間隔の不連続のセットの組から選択されるトーンの等間隔の不連続のセット上でそれのＤＭＲＳを送信する）、異なるＯＦＤＭシンボルを使用すること（たとえば、各ＵＥが、時分割多重化（ＴＤＭ）様式でＲＢのセット中の異なるＯＦＤＭシンボル中でそれのＤＭＲＳを送信する）、および／あるいは、時間にわたってまたは周波数にわたって適用された直交カバーコード（ＯＣＣ）を使用すること（たとえば、各ＵＥが、符号分割多重化（ＣＤＭ）様式で異なるＯＣＣを使用してそれのＤＭＲＳを送信する）の組合せによって直交化され得る。π／２−ＢＰＳＫ  ＤＦＴ−ｓ−ＯＦＤＭ変調を使用して作成された特殊なＤＭＲＳシーケンス（たとえば、Ｚａｄｏｆｆ−Ｃｈｕシーケンスとは異なる、およびπ／２−ＢＰＳＫ変調されたデータシンボルのＰＡＰＲに匹敵する低ＰＡＰＲを有するように生成されたシーケンス）の場合、コム上へのシーケンスのポピュレーションと周波数にわたるＯＣＣの適用との両方が、π／２−ＢＰＳＫ波形でないＤＭＲＳ時間領域シーケンスを生じ、したがってＰＡＰＲを増加させ得る。したがって、ＰＡＰＲ増加を回避し、可能な場合、特殊なＤＭＲＳシーケンスのπ／２−ＢＰＳＫ特性を維持するために、コムおよびＯＣＣ適用プロセスにおいて特殊な構成が採用され得る。
【０１２５】
[0138]たとえば、送信チェーンのＤＦＴ拡散コンポーネントへのπ／２−ＢＰＳＫシーケンス入力は、ＤＦＴ拡散コンポーネントの出力がトーンのある隣接セット上にポピュレートされるとき、送信チェーンのＤＦＴ拡散演算およびＯＦＤＭ  ＩＦＦＴ演算の後に時間補間されたπ／２−ＢＰＳＫシーケンスを生じ得る。ＤＦＴ拡散コンポーネントの出力が代わりにトーンのコム上にポピュレートされる場合、この低ＰＡＰＲ特性は、いくつかのコムについて成り立ち続け得、ここにおいて、時間領域波形は、コム期間に対応する繰返し数を伴う補間されたπ／２−ＢＰＳＫシーケンスの時間圧縮および繰返しバージョンである。他のコムについて、出力は、そのような波形に時間領域位相ランプを適用したことの結果であり得る。この位相ランプは、時間領域波形がもはや補間されたπ／２−ＢＰＳＫ波形でなく、より悪いＰＡＰＲを有し得ることを暗示する。この問題を回避するために、π／２−ＢＰＳＫ特性が維持されるときに取得されたシーケンスの時間圧縮および繰返しバージョンは、さらに、様々な繰返しに位相シフトを適用することによって処理され得、位相シフトは各繰返し内で同じであるが、異なる繰返しにわたって異なる。いくつかの場合には、繰返しにわたる位相シフトのこの適用は、依然として、π／２−ＢＰＳＫ波形特性を維持し得る。他の場合には、このπ／２−ＢＰＳＫ波形特性は各繰返し内で維持され得るが、繰返し間の時間境界において失われ得る。どちらの場合も、繰返しにわたる位相シフトのこの適用は、π／２−ＢＰＳＫ波形特性をより強く無効にする連続位相ランプを適用する必要なしに、波形を異なるＦＤＭコム上にシフトする。
【０１２６】
[0139]本明細書で開示される方法は、説明された方法を達成するための１つまたは複数のステップまたはアクションを備える。方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく修正され得る。
【０１２７】
[0140]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１２８】
[0141]本明細書で使用される「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１２９】
[0142]以上の説明は、当業者が本明細書で説明された様々な態様を実施することができるようにするために提供されたものである。これらの態様への様々な修正は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
【０１３０】
[0143]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【０１３１】
[0144]本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３２】
[0145]ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、これらの回路は当技術分野でよく知られており、したがってこれ以上説明されない。プロセッサは、１つまたは複数の汎用および／または専用プロセッサを用いて実装され得る。例は、マイクロプロセッサ、マイクロコントローラ、ＤＳＰプロセッサ、およびソフトウェアを実行することができる他の回路を含む。当業者は、特定の適用例と、全体的なシステムに課される全体的な設計制約とに応じて、どのようにしたら処理システムについて説明された機能を最も良く実装し得るかを認識されよう。
【０１３３】
[0146]ソフトウェアで実装される場合、機能は、１つまたは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を容易にする任意の媒体を含む、コンピュータ記憶媒体と通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサと一体であり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。
【０１３４】
[0147]ソフトウェアモジュールは、単一の命令、または多数の命令を備え得、いくつかの異なるコードセグメント上で、異なるプログラム間で、および複数の記憶媒体にわたって分散され得る。コンピュータ可読媒体はいくつかのソフトウェアモジュールを備え得る。ソフトウェアモジュールは、プロセッサなどの装置によって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【０１３５】
[0148]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【０１３６】
[0149]したがって、いくつかの態様は、本明細書で提示された動作を実行するためのコンピュータプログラム製品／コンピュータ可読媒体を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。
【０１３７】
[0150]さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を容易にするために、サーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに提供するための任意の他の好適な技法が利用され得る。
【０１３８】
[0151]特許請求の範囲は、上記で示された厳密な構成および構成要素に限定されないことを理解されたい。上記で説明された方法および装置の構成、動作および詳細において、特許請求の範囲から逸脱することなく、様々な修正、変更および変形が行われ得る。
【図１】
2020534741.tif 000003
【図２】
2020534741.tif 000004
【図３】
2020534741.tif 000005
【図４】
2020534741.tif 000006
【図５】
2020534741.tif 000007
【図６】
2020534741.tif 000008
【図７】
2020534741.tif 000009
【図８】
2020534741.tif 000010
【図９】
2020534741.tif 000011
【図１０Ａ】
2020534741.tif 000012
【図１０Ｂ】
2020534741.tif 000013
【図１０Ｃ】
2020534741.tif 000014
【図１１】
2020534741.tif 000015
【図１２】
2020534741.tif 000016
【図１３】
2020534741.tif 000017
【国際調査報告】
2020534741.tif 000018
2020534741.tif 000019
2020534741.tif 000020